【事件の表示】
　特願２０１７−１０１３８４号「遊技機」拒絶査定不服審判事件〔平成３０年１２月１３日出願公開、特開２０１８−１９６４４３号〕について、次のとおり審決する。
【結　論】
　本件審判の請求は、成り立たない。
【理　由】
第１　手続の経緯の概要
　本願は、平成２９年５月２３日の特許出願であって、令和２年６月１１日付けで拒絶の理由が通知され、同年８月１７日に意見書および手続補正書が提出されたところ、同年１０月７日付け（送達日：同年同月２０日）で拒絶査定（以下「原査定」という。）がなされ、それに対して、令和３年１月１５日に拒絶査定不服審判の請求がなされると同時に手続補正がなされたものである。
　
第２　令和３年１月１５日にされた手続補正についての補正の却下の決定
［補正の却下の決定の結論］
　令和３年１月１５日にされた手続補正（以下「本件補正」という。）を却下する。
　
［理由］
　１　補正の内容
　本件補正により、令和２年８月１７日付け手続補正書の特許請求の範囲の請求項１における
「【請求項１】
　遊技球が流下する遊技領域が形成された遊技盤と、
　前記遊技領域に設けられた始動領域と、
　前記始動領域への遊技球の進入により、所定の保留情報を取得して記憶部に記憶する保留記憶手段と、
　始動条件の成立により、前記保留情報に基づいて、前記遊技利益を付与するか否かを判定する判定手段と、
　所定の遊技利益の付与に対する期待値が異なる複数の演出パターンが設けられ、所定の演出期間中に演出パターンが変化し得る特定演出を実行する特定演出実行手段と、
　前記特定演出の演出パターンが変化する前の所定期間に亘って待機演出を実行し得る待機演出実行手段と、
　前記待機演出の実行中に、前記期待値を示唆する示唆演出を実行し得る示唆演出実行手段と、
を備え、
　前記特定演出は、前記保留情報に対応する保留表示を表示部に表示する保留表示演出であり、
　前記示唆演出は、前記保留表示演出とは異なる演出である遊技機。」は、　審判請求時に提出された手続補正書（令和３年１月１５日付け）の特許請求の範囲の請求項１における
「【請求項１】
　遊技球が流下する遊技領域が形成された遊技盤と、
　前記遊技領域に設けられた始動領域と、
　前記始動領域への遊技球の進入により、所定の保留情報を取得して記憶部に記憶する保留記憶手段と、
　始動条件の成立により、前記保留情報に基づいて
、遊
　所定の遊技利益の付与に対する期待値が異なる複数の演出パターンが設けられ、所定の演出期間中に演出パターンが変化し得る特定演出を実行する特定演出実行手段と、
　前記特定演出の演出パターンが変化する前の所定期間に亘って待機演出を実行し得る待機演出実行手段と、
　前記待機演出の実行中に、前記期待値を示唆する示唆演出を実行し得る示唆演出実行手段と、
を備え、
　前記特定演出は、前記保留情報に対応する保留表示
の、
おける表示パターンが変化する
変化
　前記示唆演出は、前記保留
変化
 
　２　補正の適否
　２−１　補正の目的及び新規事項について
　本件補正は、補正前の請求項１に記載した発明を特定するために必要な事項である「特定演出」に関して、「前記保留情報に対応する保留表示を表示部に表示する保留表示演出」を「前記保留情報に対応する保留表示
の、
おける表示パターンが変化する
変化
変化
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正の補正事項は、願書に最初に添付した明細書（以下「当初明細書」という。）の段落【０４１２】、【０４１３】の記載に基づくものであり、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　（１）本件補正発明
　本件補正発明は、次のとおりのものであると認める（記号Ａ〜Ｊは、分説するため当審判合議体にて付した。）。
「【請求項１】
　Ａ　遊技球が流下する遊技領域が形成された遊技盤と、
　Ｂ　前記遊技領域に設けられた始動領域と、
　Ｃ　前記始動領域への遊技球の進入により、所定の保留情報を取得して記憶部に記憶する保留記憶手段と、
　Ｄ　始動条件の成立により、前記保留情報に基づいて、遊技利益を付与するか否かを判定する判定手段と、
　Ｅ　所定の遊技利益の付与に対する期待値が異なる複数の演出パターンが設けられ、所定の演出期間中に演出パターンが変化し得る特定演出を実行する特定演出実行手段と、
　Ｆ　前記特定演出の演出パターンが変化する前の所定期間に亘って待機演出を実行し得る待機演出実行手段と、
　Ｇ　前記待機演出の実行中に、前記期待値を示唆する示唆演出を実行し得る示唆演出実行手段と、
を備え、
　Ｈ　前記特定演出は、前記保留情報に対応する保留表示の、表示部における表示パターンが変化する保留変化演出であり、
　Ｉ　前記示唆演出は、前記保留変化演出とは異なる演出である
　Ｊ　遊技機。」
　
　ここで、本件補正発明において、構成Ｅの「特定演出」は、構成Ｈにより「前記特定演出は、前記保留情報に対応する保留表示の、表示部における表示パターンが変化する保留変化演出であり、」と特定されているので、構成Ｅの「特定演出」、「演出パターン」は、それぞれ、「保留変化演出」、「保留情報に対応する保留表示の、表示部における表示パターン」であると認める。
　
　（２）引用発明
　原査定の拒絶の理由に引用文献として引用された、本願の出願前に電気通信回線を通じて公衆に利用可能となった特開２０１７−２３２９０号公報（平成２９年２月２日公開）（以下「引用文献１」という。）には、図面とともに以下の事項が記載されている（下線は当審判合議体にて付した。以下同じ。）。
　
　　　ア　記載事項
　　　（ア）
「【発明が解決しようとする課題】
・・・
【0006】
　かかる問題に鑑み、本発明は、特典が付与される信頼度を表す信頼度表示を変化させる演出態様に対する趣向性を高めることが可能となる遊技機を提供することを目的とする。」
　
　　　（イ）
「【００３２】
　先ず、本実施形態に係る
遊技機１
遊技球が発射される遊技領域６が
遊技盤２上に設けられている。
・・・
【００３４】
　上記
遊技領域６には、
始動入賞口４２
が配置されている。
　
　　　（ウ）
「【００４１】
　また、上記遊技盤２の背面には、始動入賞口検出スイッチ（始動入賞口センサ）が入賞球用通路に設けられており、上記始動入賞口４２への遊技球の入賞（入球）を検出するように構成されている。本実施形態において上記始動入賞口４２への遊技球の入賞（入球）検出は、所定の乱数値（数値データ）を取得するための起因および上記特別図柄の変動表示開始の起因とされている。上記
始動入賞口４２への入賞に起因して取得した乱数値（数値データ）は、一旦保留記憶手段
に記憶される。
　
　　　（エ）
「【００７３】
　また、変動パターンのうち、後述の
保留予告演出パターンには、
第１演出パターンと、
第２演出パターンと、
第３演出パターンと、
第４演出パターンとがあり、
　
　　　（オ）
「【００９７】
　上記
主制御基板２００は、
マイクロコンピュータのＣＰＵにより制御処理を行う。
　
　　　（カ）
「【０１１１】
　それに対して、上記Ｓ１６０−４−１で
特別図柄変動保留球数が０ではないと判断された場合には、特別図柄大当たり判定処理
が行われる。特別図柄大当たり判定処理
では、
保留記憶手段
に記憶されている大当たり乱数値
が読み出され
　
　　　（キ）
「【０１３７】
　また、
サブ制御基板２０５は、
コマンド監視処理
等が行われる。
・・・
【０１３９】
　
コマンド監視処理
では、主制御基板２００から受信したコマンド
を解析し、コマンドに対応した処理が行われる。
【０１４０】
　一方、
主制御基板２００からコマンドを受信したときには、そのコマンドが上記変動コマンドか否かが判断され（Ｓ５０５−２）
・・・
【０１４２】
　上記
Ｓ５０５−２において、受信されたコマンドが変動コマンドである場合には、保留予告演出パターンが含まれた保留予告演出コマンドか否かが判断される（Ｓ５０５−６）。
保留予告演出パターンは、
保留球数として表示部１１に表示された各保留アイコン８３Ａ〜８３Ｄのうち、
対象保留アイコンの色を白色、青色、緑色、赤色、虹色のうちのいずれかの色に段階的に変化させ、又は、当該変動中の大当たりになる信頼度を表す模擬アイコン８２の色を白色、青色、緑色、赤色、虹色のうちのいずれかの色に段階的に変化させて、大当たりになる可能性を予告する演出パターンである。
【０１４３】
　ここで、図３２に示すように、
対象保留アイコン、模擬アイコン８２、及び後述の示唆アイコン
８６
の白色、青色、緑色、赤色、虹色の表示態様は、この色の順に、大当たりとなる信頼度が高いことを意味している。
白色は、通常の表示態様である。
【０１４４】
　そして、
受信された変動コマンドに
通常変動パターンが含まれた通常変動コマンドの場合には、通常変動コマンド処理を行い
、
受信された変動コマンドに保留予告演出パターンが含まれた保留予告演出コマンドの場合には、
保留予告演出コマンド処理を行い
　
　　　（ク）
「【０１４７】
　次に、
保留予告演出パターンを実行する場合の上記保留予告演出コマンド処理
について
説明する。
【０１４８】
　そして、変動コマンドに含まれた保留予告演出パターンが「第１演出パターン」であると判断された場合には（Ｓ５０５−８−２）、図２４、図３３の上段、図３５〜図３８に詳細を示す「第１演出パターン」の当たり保留予告演出表示、つまり、「第１演出パターン」の当たり先読み予告演出表示が実行される。図２４に示すように、先ず、ＲＯＭから「第１演出パターン」のタイミングチャート（図３３の上段参照）が読み出され、予告演出の開始から示唆アイコン（本願の「示唆表示」に相当する。）８６を青色に設定するタイミングＴＡ１（秒）、リーチ演出の開始タイミングＴＳ１（秒）、変動終了タイミングＴ１（秒）の各タイミングがＲＡＭに記憶される（Ｓ５０５−８−２−１）。（
示唆アイコン
８６が信頼度に対応した表示をする
【０１４９】
　続いて、
表示装置１０の表示部１１に左、中、右特別図柄８１Ａ〜８１Ｃの変動が開始されると共に、ボールの形状を模した各保留アイコン８３Ａ〜８３Ｄのうちの保留球数に対応する個数の保留アイコンが表示部１１の下端中央部に白色で表示される。また、現在変動中の大当たりになる信頼度を表すボールの形状を模した模擬アイコン８２が、表示部１１の左下角部に白色で表示される（図３５（１））
。
【０１５０】
　また、表示部１１に表示されている各保留アイコン８３Ａ〜８３Ｄのうち、「大当たりになる保留アイコンの表示順番（大当たりになる保留情報）」に基づいて対応する保留アイコン（保留記憶情報）に、色を変更する「対象保留アイコン（対象保留）」として内部的に設定される（本願の「保留位置選択手段」に相当する。）（Ｓ５０５−８−２−２）。例えば、図３５（１）に示すように、保留予告演出コマンドに含まれていた「大当たりになる保留アイコンの表示順番（大当たりになる保留情報）」が「２番目」に設定されていた場合には、左から２番目に表示されている保留アイコン８３Ｂが「対象保留アイコン（対象保留）」に設定され、ＲＡＭに記憶される（Ｓ５０５−８−２−２）。尚、点線で示される星印は、「対象保留アイコン（対象保留）」を表す説明上の目印であり、表示部１１には表示されていない。　
【０１５１】
　そして、
表示部１１の右上に太線四角枠の時間経過表示器８５が表示され
また、時間経過表示器８５の上端中央部に、大当たりへの期待度を示唆するボールの形状を模した示唆アイコン８６が、
停止表示される
　
　　　（ケ）
「【０１７７】
　そして、
変動コマンドに含まれた保留予告演出パターンが「第３演出パターン」であると判断された場合には
図２６、図２７、図３４の上段、図３５（１）〜図３６（４）、図４２〜図４６に詳細を示す「第３演出パターン」の当たり保留予告演出表示、つまり、「第３演出パターン」の当たり先読み予告演出表示が実行される。
・・・
【０１８０】
　
その後、
【０１８１】
　そして、表示装置１０の表示部１１に左、中、右特別図柄８１Ａ〜８１Ｃの変動が開始されると共に、
表示部１１に表示されている保留アイコン８３Ａが
移動して当該保留の変動が開始される
保留アイコン８３Ａが
「対象保留アイコン（対象保留）」だった場合
・・・
【０１８７】
　
その後、外れ図柄の左、中、右特別図柄８１Ａ、８１Ｂ、８１Ｃが、表示部１１の中央部に大きく仮変動停止される
。
　
　　　（コ）
「【０１８９】
　続いて、
時間経過表示器８５に予め設定された時間
「１０：００」（秒）が
、時間表示欄に表示される（図４４（２８））
。
赤色の示唆アイコン８６が、時間経過表示器８５の上端部の左右方向中央位置に停止表示される（図４４（２８））
。
【０１９０】
　その後、表示部１１の中央部に仮変動停止されている左、中、右特別図柄８１Ａ、８１Ｂ、８１Ｃの２回目の変動表示、つまり、再変動が開始され、いわゆる
疑似連続予告演出が開始される
。そして、時間経過表示器８５に表示されている時間の減算表示が開始される
。また同時に、赤色の示唆アイコン８６が時間経過表示器８５上を左右全幅に渡って往復転動する往復移動表示が開始される（図４４（２９））
。これにより、遊技者に対して、通常大当たりになる遊技が実行される可能性が高いことが示唆される。
【０１９１】
　
続いて、時間経過表示器８５の減算表示される時間が「００：００」に達するまで、赤色の示唆アイコン８６が時間経過表示器８５上を左右全幅に渡って往復移動表示される
。そして、時間経過表示器８５の減算表示される時間が「００：００」（秒）に達した場合には
、赤色の示唆アイコン８６は、時間経過表示器８５の左端位置に移動した際に、「対象保留アイコン（対象保留）」に設定されている緑色の模擬アイコン８２に向かって飛ぶように移動表示され、当該模擬アイコン８２に当てられる。
【０１９２】
　そして、
赤色の示唆アイコン８６が緑色の模擬アイコン８２に当たった後、削除される（消える）と共に、当該模擬アイコン８２が緑色から赤色に設定され
　
　　　（サ）
「【０１９８】
　そして、
時間経過表示器８５に減算表示される時間が、
「０６：００」（秒）に達した場合には
、赤色の示唆アイコン８６が時間経過表示器８５の右端位置に移動した際に、当該示唆アイコン８６の色が赤色から虹色に変更設定される
。その後、虹色の示唆アイコン８６が時間経過表示器８５上を左右全幅に渡って往復転動する往復移動表示が開始される
。
【０１９９】
　続いて、
時間経過表示器８５の減算表示される時間が「００：００」に達するまで、虹色の示唆アイコン８６が時間経過表示器８５上を左右全幅に渡って往復移動表示される
。
　
　　　イ　図面の図示内容
【図３４】：保留予告演出のタイミングチャートの一例を示す図である。
【図３５】、【図３６】：保留予告演出の一例を示す図である。　　　　　　　　
【図３９】、【図４２】：保留予告演出の一例を示す図である。
【図４３】、【図４４】：保留予告演出の一例を示す図である。
【図４５】、【図４６】：保留予告演出の一例を示す図である。
　　　ウ　認定事項
　　　（シ）
　【図４５】（３０）〜（３１）には、「赤色の示唆アイコン８６が模擬アイコン８２に向かって移動表示され、その直後に時間経過表示器８５が消える」ことが図示されている。
　
　　　エ　引用発明
　上記アの記載事項、上記イの図面の図示内容、および、上記ウの認定事項から、引用文献１には、次の発明（以下「引用発明」という。）が記載されているものと認める。
「ａ　遊技球が発射される遊技領域６が設けられている遊技盤２（【００３２】）と、
　ｂ　遊技領域６に配置されている始動入賞口４２（【００３４】）と、
　ｃ　始動入賞口４２への入賞に起因して取得した乱数値（数値データ）を記憶する保留記憶手段（【００４１】）と、
　ｄ　特別図柄変動保留球数が０ではないと判断された場合には、保留記憶手段に記憶されている大当たり乱数値が読み出されて、特別図柄大当たり判定処理を行う主制御基板２００（【００９７】、【０１１１】）と、
　ｅ、ｈ　コマンド監視処理等を行うサブ制御基板２０５（【０１３７】）を備え、
　サブ制御基板２０５は、
　　コマンド監視処理において主制御基板２００から受信したコマンドを解析し、コマンドに対応した処理を行い（【０１３９】）、
　　受信された変動コマンドに通常変動パターンが含まれた通常変動コマンドの場合には、通常変動コマンド処理を行い（【０１４４】）、
　　受信された変動コマンドに保留予告演出パターンが含まれた保留予告演出コマンドの場合には、保留予告演出コマンド処理を行い（【０１４４】）、
　白色は、通常の表示態様であり（【０１４３】）、
　保留予告演出パターンは、保留球数として表示部１１に表示された各保留アイコン８３Ａ〜８３Ｄのうち、対象保留アイコンの色を白色、青色、緑色、赤色、虹色のうちのいずれかの色に段階的に変化させ、又は、当該変動中の大当たりになる信頼度を表す模擬アイコン８２の色を白色、青色、緑色、赤色、虹色のうちのいずれかの色に段階的に変化させて、大当たりになる可能性を予告する演出パターンであり（【０１４２】）、
　ｆ、ｇ、ｉ　サブ制御基板２０５は、
　保留予告演出コマンド処理において、変動コマンドに含まれた保留予告演出パターンが「第３演出パターン」であると判断された場合には、「第３演出パターン」の当たり先読み予告演出表示を実行し（【０１７７】）、
　「第３演出パターン」の当たり先読み予告演出表示（【００４３】、【０１４３】、【０１４９】〜【０１５５】、【０１５７】、【０１６４】、【０１７７】〜【０１９３】、【図３４】〜【図３６】、【図３９】、【図４２】〜【図４６】）は、
　　表示装置１０の表示部１１に左、中、右特別図柄８１Ａ〜８１Ｃの変動が開始されると共に、ボールの形状を模した各保留アイコン８３Ａ〜８３Ｄのうちの保留球数に対応する個数の保留アイコンが表示部１１の下端中央部に白色で表示され、また、現在変動中の大当たりになる信頼度を表すボールの形状を模した模擬アイコン８２が、表示部１１の左下角部に白色で表示され、さらに、表示部１１の右上に太線四角枠の時間経過表示器８５が表示され、時間経過表示器８５の上端中央部に、大当たりへの期待度を示唆するボールの形状を模した、信頼度に対応した表示をする示唆アイコン８６が停止表示され（【０１４８】〜【０１４９】、【０１５１】、【０１７７】、【０１７８】、【図３４】の上段、【図３５】（１）〜（２））、
　　その後、表示部１１に表示されている「対象保留アイコン（対象保留）」である、保留アイコン８３Ａが移動して当該保留の変動が開始され（【０１８０】〜【０１８１】、【図４２】（２３））、
　　その後、外れ図柄の左、中、右特別図柄８１Ａ、８１Ｂ、８１Ｃが、表示部１１の中央部に大きく仮変動停止され（【０１８７】、【図４４】（２７））、
　　続いて、時間経過表示器８５に時間（例えば、「１０：００」（秒））が表示され、赤色の示唆アイコン８６が、時間経過表示器８５の上端部の左右方向中央位置に停止表示されるとともに、疑似連続予告演出が開始され（【０１８９】〜【０１９０】、【図４４】（２８））、
　　そして、時間経過表示器８５に表示されている時間の減算表示が開始され、減算表示と同時に、赤色の示唆アイコン８６が時間経過表示器８５上を左右全幅に渡って往復転動する往復移動表示が開始され（【０１９０】、【図４５】（３０））、
　　遊技者に対して、通常大当たりになる遊技が実行される可能性の高いことが示唆され（【０１９０】）、
　　往復移動表示は、時間経過表示器８５の減算表示される時間が「００：００」に達するまで表示され（【０１９１】、【図４５】（３０））、
　　時間経過表示器８５の減算表示される時間が「００：００」（秒）に達した場合には、赤色の示唆アイコン８６は、時間経過表示器８５の左端位置に移動した際に、対象保留アイコンに設定されている緑色の模擬アイコン８２に向かって飛ぶように移動表示され（【０１９１】、【図４５】（３０））、
　　その直後に時間経過表示器８５は消え、赤色の示唆アイコン８６は、緑色の模擬アイコン８２に当たった後、消えるとともに、模擬アイコン８２が緑色から赤色に設定される（【０１９２】、【図４５】（３１）、認定事項（シ））
　ｊ　遊技機１００（【００３２】）。」
　
（３）対比
　本件補正発明と引用発明とを、分説に従い対比する。
　（ａ）
　引用発明の「遊技球が発射される遊技領域６」は、本件補正発明の「遊技球が流下する遊技領域」に相当する。
　したがって、引用発明の構成ａは、本件補正発明の構成Ａに相当する。
　　
　（ｂ）
　引用発明の「始動入賞口４２」は、本件補正発明の「始動領域」に相当する。
　したがって、引用発明の構成ｂは、本件補正発明の構成Ｂに相当する。
　
　（ｃ）
　引用発明の「始動入賞口４２への入賞に起因して取得した乱数値（数値データ）」は、本件補正発明の「始動領域への遊技球の進入により」「取得」した「所定の保留情報」に相当する。
　したがって、引用発明の構成ｃは、本件補正発明の構成Ｃに相当する。
　
　（ｄ）
　引用発明の「特別図柄変動保留球数が０ではないと判断された場合」は、本件補正発明の「始動条件の成立」に相当する。
　そして、引用発明の「保留記憶手段に記憶されている大当たり乱数値が読み出されて、特別図柄大当たり判定処理を行う主制御基板２００」は、本件補正発明の「保留情報に基づいて、遊技利益を付与するか否かを判定する判定手段」に相当する。
　したがって、引用発明の構成ｄは、本件補正発明の構成Ｄに相当する。
　
　（ｅ、ｈ）
　引用発明の「保留予告演出パターン」は、「当該変動中の大当たりになる信頼度を表す模擬アイコン８２の色を白色、青色、緑色、赤色、虹色のうちのいずれかの色に段階的に変化させて」「表示部１１に表示」される、「大当たりになる可能性」の異なる複数の表示パターンよりなるから、本件補正発明の「所定の遊技利益の付与に対する期待値が異なる複数の表示パターン」に相当する。
　そして、引用発明の「保留予告演出パターン」による「模擬アイコン８２の色を」「変化させ」る演出は、本件補正発明の「表示部における表示パターンが変化する保留変化演出」、すなわち、演出パターンが変化し得る「特定演出」に相当するとともに、「保留予告演出コマンド」を「受信」したときから「段階的に変化させ」る演出であるから、本件補正発明の「所定の演出期間中に保留情報に対応する保留表示の、表示部における表示パターンが変化する保留変化演出」に相当する。
　そうすると、引用発明の「受信されたコマンドに変動コマンドに保留予告演出パターンが含まれた保留予告演出コマンドの場合に」「保留予告演出コマンド処理を行」う「サブ制御基板２０５」は、本件補正発明における「保留変化演出を実行する保留変化演出実行手段」、すなわち、「特定演出を実行する特定演出」に相当する。
　引用発明の「保留球数として表示部１１に表示された」「当該変動中の大当たりになる信頼度を表す模擬アイコン８２の色を白色、青色、緑色、赤色、虹色のうちのいずれかの色に段階的に変化させ」る「保留予告演出パターン」による演出は、本件補正発明の「保留情報に対応する保留表示の、表示部における表示パターンが変化する保留変化演出」に相当する。
　したがって、引用発明の構成ｅ、ｈは、本件補正発明の構成Ｅ、Ｈに相当する。
　したがって、引用発明の構成ｅ、ｈは、本件補正発明の構成Ｅ、Ｈに相当する。
　
　（ｆ）
　引用発明において、「「第３演出パターン」の当たり先読み予告演出表示」において表示される「時間経過表示器８５」による演出は、「表示装置１０の表示部１１に左、中、右特別図柄８１Ａ〜８１Ｃの変動が開始されると共に、」「表示部１１の右上に太線四角枠の時間経過表示器８５が表示され」ることで開始される演出であって、「その後、外れ図柄の左、中、右特別図柄８１Ａ、８１Ｂ、８１Ｃが、表示部１１の中央部に大きく仮変動停止され、続いて、時間経過表示器８５に時間（例えば、「１０：００」（秒））が表示され、赤色の示唆アイコン８６が時間経過表示器８５上を左右全幅に渡って往復転動する往復移動表示が開始され、往復移動表示は、時間経過表示器８５の減算表示される時間が「００：００」に達するまで」の期間に亘って行われる演出であって、「模擬アイコン８２が緑色から赤色に設定される」前に行われる演出である。
　そして、上記（ｅ、ｈ）より、引用発明の「模擬アイコン８２の色を」「変化させ」る演出は、本件補正発明の「演出パターンが変化し得る特定演出」に相当する。
　そうすると、引用発明の「模擬アイコン８２が緑色から赤色に設定される」前は、本件補正発明の「保留変化演出の演出パターンが変化する前」に相当し、また、引用発明の「表示装置１０の表示部１１に左、中、右特別図柄８１Ａ〜８１Ｃの変動が開始され」てから、「赤色の示唆アイコン８６が時間経過表示器８５上を左右全幅に渡って往復転動する往復移動表示が開始され、往復移動表示は、時間経過表示器８５の減算表示される時間が「００：００」に達するまで」の期間に亘って「表示装置１０の表示部１１」に表示される「時間経過表示器８５」は、本件補正発明の「所定期間に亘って」「実行し得る」「待機演出」に相当する。
　したがって、引用発明の構成ｆ、ｇ、iの「「第３演出パターン」の当たり先読み予告演出表示」において表示される「表示部１１の右上に太線四角枠の時間経過表示器８５」の「表示」「を実行」する「サブ制御基板２０５」は、本件補正発明の構成Ｆの「保留変化演出の表示パターンが変化する前の所定期間に亘って待機演出を実行し得る待機演出実行手段」に相当する。
　
　（ｇ）
　引用発明の「減算表示と同時に」「開始される」、「赤色の示唆アイコン８６が時間経過表示器８５上を左右全幅に渡って往復転動する往復移動表示」は、「遊技者に対して、通常大当たりになる遊技が実行される可能性の高いことが示唆され」る演出であるから、本件補正発明の「待機演出の実行中に、期待値を示唆する示唆演出」に相当する。
　したがって、引用発明の構成ｆ、ｇ、ｉの「先読み予告演出表示」において、「往復移動表示」を「実行」する「サブ制御基板２０５」は、本件補正発明の構成Ｇに相当する。
　
　（ｉ）
　引用発明における構成ｅ、ｈの「保留予告演出パターン」による演出のうち、当該変動中の大当たりになる信頼度を表す模擬アイコン８２の色を白色、青色、緑色、赤色、虹色のうちのいずれかの色に段階的に変化させ」る演出と、構成ｆ、ｇ、ｉの「第３演出パターン」による演出のうち、「時間経過表示器８５の上端部の左右方向中央位置に停止表示され」たり、「時間経過表示器８５上を左右全幅に渡って往復転動する往復移動表示される「示唆アイコン８６」による演出とが、演出の対象、表示位置、表示内容の面からみて、異なる演出であることは明らかである。
　したがって、引用発明は、本件補正発明の構成Ｉを備えるものである。
　
　（ｊ）
　引用発明の構成ｊの「遊技機１００」は、本件補正発明の構成Ｊの「遊技機」に相当する。
　
　（ｋ）
　上記（ａ）〜（ｊ）によれば、本件補正発明と引用発明は、
［一致点］
「【請求項１】
　Ａ　遊技球が流下する遊技領域が形成された遊技盤と、
　Ｂ　前記遊技領域に設けられた始動領域と、
　Ｃ　前記始動領域への遊技球の進入により、所定の保留情報を取得して記憶部に記憶する保留記憶手段と、
　Ｄ　始動条件の成立により、前記保留情報に基づいて、遊技利益を付与するか否かを判定する判定手段と、
　Ｅ　所定の遊技利益の付与に対する期待値が異なる複数の演出パターンが設けられ、所定の演出期間中に演出パターンが変化し得る特定演出を実行する特定演出実行手段と、
　Ｆ　前記特定演出の演出パターンが変化する前の所定期間に亘って待機演出を実行し得る待機演出実行手段と、
　Ｇ　前記待機演出の実行中に、前記期待値を示唆する示唆演出を実行し得る示唆演出実行手段と、
を備え、
　Ｈ　前記特定演出は、前記保留情報に対応する保留表示の、表示部における表示パターンが変化する保留変化演出であり、
　Ｉ　前記示唆演出は、前記保留変化演出とは異なる演出である
　Ｊ　遊技機。」
　の点で一致し、相違点はない。
　　
　よって、本件補正発明は、引用発明である。
　　
　（４）請求人の主張について
　請求人は、令和３年１月１５日付けの審判請求書において、次の点について主張をする。
「引用文献１には、色が変化する示唆アイコンが表示され、示唆アイコンが保留アイコンに衝突して、保留アイコンが示唆アイコンの色に変化する演出が記載されている。拒絶査定謄本において審査官殿が指摘されているように、引用文献１の示唆アイコンは、保留変化演出を構成する一部の演出である。このため、引用文献１の示唆アイコンは、補正後の請求項１に係る発明の、保留変化演出とは異なる示唆演出には相当しない。
　また、引用文献１には、保留変化演出とは異なる、期待値を示唆する演出を実行するという記載も示唆もない。」（（４）本願発明と引用発明との対比）
　そこで、請求人の上記主張について検討する。
　上記（３）（ｉ）において検討したように、「対象保留アイコン」と「模擬アイコン８２」に対する演出と、「示唆アイコン８６」に対する演出とは、前者の演出が、「各保留アイコン８３Ａ〜８３Ｄのうち、対象保留アイコンの色」や、「模擬アイコン８２の色」を「段階的に変化させ」る演出であり、後者の演出が、「時間経過表示器８５の上端中央部に」表示される「大当たりへの期待度を示唆するボールの形状を模した」演出や、「時間経過表示器８５上を左右全幅に渡って往復転動する往復移動表示される」演出であって、両者は、演出の対象、表示位置、表示内容の面からみて、異なる演出であることは明らかである。
　したがって、請求人の上記主張を採用することはできない。
　
　（５）小括
　上記（３）、（４）において検討したように、本件補正発明は、引用発明であるから、特許法第２９条第１項第３号に該当し、特許出願の際独立して特許を受けることができない。
　
　２−３　まとめ
　上記２−２において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、令和２年８月１７日付け手続補正書の特許請求の範囲の請求項１に記載された事項により特定される次のとおりのものである。
「【請求項１】
　遊技球が流下する遊技領域が形成された遊技盤と、
　前記遊技領域に設けられた始動領域と、
　前記始動領域への遊技球の進入により、所定の保留情報を取得して記憶部に記憶する保留記憶手段と、
　始動条件の成立により、前記保留情報に基づいて、前記遊技利益を付与するか否かを判定する判定手段と、
　所定の遊技利益の付与に対する期待値が異なる複数の演出パターンが設けられ、所定の演出期間中に演出パターンが変化し得る特定演出を実行する特定演出実行手段と、
　前記特定演出の演出パターンが変化する前の所定期間に亘って待機演出を実行し得る待機演出実行手段と、
　前記待機演出の実行中に、前記期待値を示唆する示唆演出を実行し得る示唆演出実行手段と、
を備え、
　前記特定演出は、前記保留情報に対応する保留表示を表示部に表示する保留表示演出であり、
　前記示唆演出は、前記保留表示演出とは異なる演出である遊技機。」
　
　２　拒絶の理由（令和２年６月１１日付け）
　原査定の拒絶の理由の概要は、次のとおりである。
「１．（新規性）この出願の下記の請求項１〜３係る発明は、その出願前に日本国内において、電気通信回線を通じて公衆に利用可能となった下記の引用文献１に記載された発明であるから、特許法第２９条第１項第３号に該当し、特許を受けることができない。
　２．（進歩性）この出願の下記の請求項１〜３に係る発明は、その出願前に日本国内において、電気通信回線を通じて公衆に利用可能となった下記の引用文献１に記載された発明に基いて、その出願前にその発明の属する技術の分野における通常の知識を有する者が容易に発明をすることができたものであるから、特許法第２９条第２項の規定により特許を受けることができない。」というものである。
　
　　引用文献１．特開２０１７−２３２９０号公報
　
　３　引用文献１に記載された事項　原査定の拒絶の理由に引用された引用文献１である特開２０１７−２３２９０号公報の記載事項及び引用物発明の認定については、前記「第２　２　２−２（２）引用発明」に記載したとおりである。
　
　４　対比・判断
　本願発明は、前記「第２［理由］」で検討した本件補正発明において、補正前の請求項１の構成Ｋに「前記保留情報に対応する保留表示
の、
おける表示パターンが変化する
変化
変化
　そうすると、前記「第２[理由]　２　２−２（３）対比」における検討内容からみて、本願発明は、引用発明に一致するものであって、相違する点はない。
　したがって、本願発明は、引用発明である。
　　　
　５　むすび
　以上のとおりであるから、本願発明は、特許法第２９条第１項第３号に該当し特許を受けることができない。
　よって、本願は拒絶すべきものである。